(57)【要約】【課題】  本発明は、通信状態が切断された場合に短時間でかつ確実に再接続できるようにする。【解決手段】  本発明は、相手の携帯電話機との通信中に当該相手の携帯電話機との通信が切断されたことを検出し、当該切断を検出したとき相手の携帯電話機からの相手発呼タイミングと、相手の携帯電話機へ通信接続手段を介して行う自己発呼タイミングとが重ならないよう制御することにより再接続を行うことにより、お互いに同じタイミングで相手発呼及び自己発呼することがなくなるので１度の発呼で接続することができる。【選択図】        図２
2005039628.tif 000002
【特許請求の範囲】
【請求項１】
相手の携帯電話機との通信を確立する通信接続手段と、
上記相手の携帯電話機との通信が切断されたことを検出する検出手段と、
上記切断を検出したとき、上記相手の携帯電話機からの相手発呼タイミングと、上記相手の携帯電話機へ上記通信接続手段を介して行う自己発呼タイミングとが重ならないよう制御することにより上記相手の携帯電話機との再接続を行う制御手段と
を具えることを特徴とする再接続制御機能付携帯電話機。
【請求項２】
上記制御手段は、自身のみならず上記相手の携帯電話機についても電話番号の通知モードが設定されている場合、上記通信接続手段に設定された自己の電話番号と上記相手の携帯電話機の電話番号と比較し、所定桁の値の大小に基づいて発呼側を決定する
ことを特徴とする請求項１に記載の再接続制御機能付携帯電話機。
【請求項３】
上記制御手段は、上記相手の携帯電話機にのみ電話番号の通知モードが設定されている場合、上記相手の携帯電話機から上記電話番号の通知を受けた側を発呼側として決定し、当該電話番号に基づいて上記相手の携帯電話機へ発呼するよう制御する
ことを特徴とする請求項１に記載の再接続制御機能付携帯電話機。
【請求項４】
上記制御手段は、自身のみならず上記相手の携帯電話機についても電話番号の非通知モードが設定されている場合、ランダムに設定した待ち時間が経過するまで上記相手の携帯電話機への発呼を禁止する
ことを特徴とする請求項１に記載の再接続制御機能付携帯電話機。
【請求項５】
上記再接続制御機能付携帯電話機は、
上記制御手段による再接続制御機能を有していることを示す通知信号を発呼時の音声チャンネルを介して上記相手の携帯電話機へ送信する送信手段と
を具え、
上記制御手段は、上記相手の携帯電話機から上記通知信号を受けないとき、上記自己電話番号と上記相手の携帯電話機における相手電話番号と比較した場合における上記所定桁の値の大小に係わらず自身を発呼側であると決定する
ことを特徴とする請求項２に記載の再接続制御機能付携帯電話機。
【請求項６】
相手の携帯電話機との通信中に当該相手の携帯電話機との通信が切断されたことを検出する検出ステップと、
上記検出ステップで上記切断を検出したとき、上記相手の携帯電話機からの相手発呼タイミングと、上記相手の携帯電話機へ上記通信接続手段を介して行う自己発呼タイミングとが重ならないよう制御することにより上記相手の携帯電話機との再接続を行う制御ステップと
を具えることを特徴とする再接続制御方法。
【請求項７】
携帯電話機に対して、
相手の携帯電話機との通信中に当該相手の携帯電話機との通信が切断されたことを検出する検出ステップと、
上記検出ステップで上記切断を検出したとき、上記相手の携帯電話機からの相手発呼タイミングと、上記相手の携帯電話機へ上記通信接続手段を介して行う自己発呼タイミングとが重ならないよう制御することにより上記相手の携帯電話機との再接続を行う制御ステップと
を実行させるための再接続制御プログラム。
【発明の詳細な説明】
【技術分野】
【０００１】
本発明は、走再接続制御機能付携帯電話機に関し、例えば携帯電話機に適用して好適なものである。
【背景技術】
【０００２】
従来、携帯電話機においては、相手の携帯電話機への接続ができなかったときに自動的に再接続するようになされたものがある（例えば、特許文献１参照）。
【特許文献１】特開平11-298962号公報
【発明の開示】
【発明が解決しようとする課題】
【０００３】
ところでかかる構成の携帯電話機においては、自身から相手の携帯電話機への発呼（以下、これを自己発呼と呼ぶ）タイミングと、相手の携帯電話機からの発呼（以下、これを相手発呼と呼ぶ）タイミングとがほとんど同じであった場合には接続不能状態となってしまう。このような場合、通常お互いのユーザが何度も接続を図ろうとして発呼することになるためつながらず、接続するまで多大な時間を要してしまうという問題があった。
【０００４】
本発明は以上の点を考慮してなされたもので、通信状態が切断された場合に短時間でかつ確実に再接続し得る再接続制御機能付携帯電話機を提案しようとするものである。
【課題を解決するための手段】
【０００５】
かかる課題を解決するため本発明においては、相手の携帯電話機との通信中に当該相手の携帯電話機との通信が切断されたことを検出し、当該切断を検出したとき相手の携帯電話機からの相手発呼タイミングと、相手の携帯電話機へ通信接続手段を介して行う自己発呼タイミングとが重ならないよう制御することにより相手の携帯電話機との再接続を行うことにより、お互いに同じタイミングで発呼することがなくなるので確実に接続することができる。
【発明の効果】
【０００６】
上述のように本発明によれば、相手の携帯電話機との通信中に当該相手の携帯電話機との通信が切断されたことを検出し、当該切断を検出したとき相手の携帯電話機からの相手発呼タイミングと、相手の携帯電話機へ通信接続手段を介して行う自己発呼タイミングとが重ならないよう制御することにより相手の携帯電話機との再接続を行うことにより、お互いに同じタイミングで発呼することがなくなるので確実に接続することができ、かくして通信状態が切断された場合に短時間でかつ確実に再接続し得る再接続制御機能付携帯電話機、再接続制御方法及び再接続制御プログラムを実現できる。
【発明を実施するための最良の形態】
【０００７】
以下、図面について、本発明の一実施の形態を詳述する。
【０００８】
（１）携帯電話機の回路構成
図１において、１は全体として本発明の再接続制御機能付携帯電話機（以下、これを単に携帯電話機と呼ぶ）を示し、ＣＰＵ(Central Processing Unit)２が全体を統括制御すると共に、ＲＯＭ(Read Only Memory)３に格納された基本プログラムやアプリケーションプログラムをＲＡＭ(Random Access Memory)４上で起動することにより、通常の通話機能及び後述する再接続制御機能を実行するようになされている。
【０００９】
通常の通話モードにおいて携帯電話機１は、ＣＰＵ２の制御により、アンテナ５で受信した受信信号を送受信回路で復調処理等を施すことにより受信データを得、これを信号処理回路７により信号処理した後にスピーカ８から相手の通話音声として出力する。
【００１０】
一方、携帯電話機１は、ＣＰＵ２の制御により、マイクロフォン９によって集音したユーザの音声信号を音声信号信号処理回路７及び送受信回路６で信号処理及び変調処理等を施した後、アンテナ５を介して送信する。
【００１１】
また携帯電話機１は、ＣＰＵ２の制御により、液晶ディスプレイ(Liquid Crystal
Display)１０に電波受信レベル、バッテリ残量、各種メッセージを表示したり、電子メールを表示し得るようにもなされている。
【００１２】
なお携帯電話機１のＣＰＵ２は、操作部１１を介したユーザのボタン操作によって再接続制御機能をオン状態に設定したり、当該再接続制御機能をオフ状態に解除し得るようになされており、当該再接続制御機能を用いるか否かを任意に選択し得るようになされている。
【００１３】
（２）再接続制御処理手順
続いて、携帯電話機１が再接続制御機能をオン状態に設定した場合、ＲＯＭ３に格納された再接続制御プログラムに従って行う再接続制御処理手順について図２のフローチャートを用いて具体的に説明する。
【００１４】
実際上、携帯電話機１は操作部１１の操作により電源が投入されると、図５に示すようにルーチンＲＴ１の開始ステップから入ってステップＳＰ１へ移る。
【００１５】
ステップＳＰ１において携帯電話機１のＣＰＵ２は、ユーザの操作部１１に対する操作に応じて再接続制御機能をオンに設定し、次のステップＳＰ２へ移る。因みに携帯電話機１のＣＰＵ２は、自身が再接続制御機能を有していない場合には設定処理を行わずそのまま次のステップＳＰ２へ移る。
【００１６】
ステップＳＰ２においてＣＰＵ２は、操作部１１に対する操作に応じた発呼又は着呼を行い、次のステップＳＰ３へ移る。
【００１７】
このとき携帯電話機１のＣＰＵ２は、相手の携帯電話機に対して自身が再接続制御機能を有していることを示す通知信号としてＤＴＭＦ(Dual Tone Multi Frequency)信号を用い、当該ＤＴＭＦ信号を発呼時又は着呼時の音声チャンネルを介して当該相手の携帯電話機へ送信する。同時に携帯電話機１のＣＰＵ２は、相手の携帯電話機が同様の再接続制御機能を有している場合、当該相手の携帯電話機から再接続制御機能を有していることを示す通知信号としてのＤＴＭＦ信号を発呼時又は着呼時の音声チャンネルを介して受信する。
【００１８】
ステップＳＰ３において携帯電話機１のＣＰＵ２は、相手の携帯電話機に再接続制御機能を有しているか否かを判定する。ここで、肯定結果が得られると、このことは相手の携帯電話機から再接続制御機能を有していることを示す通知信号（ＤＴＭＦ信号）を受信しており、自身と同様の再接続制御機能を有していると判断し、このときＣＰＵ２は次のステップＳＰ４へ移る。
【００１９】
またステップＳＰ３で否定結果が得られると、このことは相手の携帯電話機から再接続制御機能を有していることを示す通知信号（ＤＴＭＦ信号）を受信しておらず、自身と同様の再接続制御機能を有していないと判断し、このときＣＰＵ２は次のステップＳＰ１４へ移る。
【００２０】
ステップＳＰ４において携帯電話機１のＣＰＵ２は、相手の携帯電話機との間で電波状況の悪化による強制的な切断が起こったことを認識すると、次のステップＳＰ５へ移る。
【００２１】
ステップＳＰ５において携帯電話機１のＣＰＵ２は、相手の携帯電話機から当該相手の携帯電話機における電話番号が通知されているか否かを判定する。ここで携帯電話機１のＣＰＵ２は、実際上、自身から相手の携帯電話機に対して電話番号通知を行っており、かつ当該相手の携帯電話機からも電話番号通知を受けている場合には双方通知モードであると判断し、次のステップＳＰ６へ移る。
【００２２】
ステップＳＰ６において携帯電話機１のＣＰＵ２は、自身の電話番号と相手の携帯電話機における電話番号とに基づいていずれを発呼側とすべきかを決定し、次のステップＳＰ７へ移る。
【００２３】
この場合、図３に示すように携帯電話機１のＣＰＵ２は、相手の携帯電話機から電話番号が通知されているので、当該相手の携帯電話機の電話番号（例えば０９０−１２３４−５６７８）と自身の電話番号（例えば０９０−８７６５−４３２１）の下１ケタの番号同士を比較し、数字の大きな相手の携帯電話機を発呼側であると決定し、自身からは相手の携帯電話機への発呼しないように設定し、次のステップＳＰ７へ移る。
【００２４】
このとき相手の携帯電話機は、携帯電話機１と同様の再接続制御機能を有しているので、双方の電話番号を比較した結果として当該相手の携帯電話機が発呼側であると認識することができ、当該携帯電話機１へ発呼を行うことになる。
【００２５】
なお、図４に示すように仮に携帯電話機１の電話番号が例えば０９０−８７６５−４３２３であって、相手の携帯電話機の電話番号が例えば０９０−１２３４−５６９３であった場合、下１ケタの番号同士が同じ「３」であるため発呼側を決定することができない。
【００２６】
このような場合、携帯電話機１のＣＰＵ２は下２ケタ目の番号同士を比較することにより、下２ケタ目の数字が大きな当該相手の携帯電話機を発呼側であると決定し、自身からは相手の携帯電話機へ発呼しないように設定するようになされている。
【００２７】
従って携帯電話機１のＣＰＵ２は、下１ケタ及び下２ケタの番号同士が同じ数字であった場合には、同様に次は下３ケタ、下４ケタ、……とシフトして行って番号に差が出るまで同様の処理を繰り返すようになされている。
【００２８】
ところで、図４に示したように相手の携帯電話機（例えば０９０−１２３４−５６９３）と、携帯電話機１（例えば０９０−８７６５−４３２３）との間では、常に相手の携帯電話機が発呼側と決定することになるので、発呼側変更アルゴリズムが再接続制御プログラムにプログラミングされている。
【００２９】
例えば携帯電話機１のＣＰＵ２は、再接続制御プログラムの発呼側変更アルゴリズムによれば、第１回目の再接続制御を行うときには上述の双方通知モードの再接続処理（１）及び（２）に従って相手の携帯電話機から再接続処理を行うが、その次に再度電波状況悪化による強制切断があった場合には、図５に示すようにお互いの電話番号に現在の日付（例えば１５日）を加算した値を用いて再度上述の双方通知モードの再接続処理（１）及び（２）に従って再接続処理を行うようにする。
【００３０】
具体的には、携帯電話機１の電話番号０９０−８７６５−４３２３に現在の日付（例えば１５日）の「１５」を加算すると共に、相手の携帯電話機の電話番号０９０−１２３４−５６９３に現在の日付（例えば１５日）の「１５」を加算することにより下１ケタ又は下２ケタの値を変動することができ、その新たな下１ケタ又は下２ケタの数字を比較することにより、今度は携帯電話機１が新たに発呼側であると決定することができるようになされている。
【００３１】
因みに携帯電話機１のＣＰＵ２は、相手の携帯電話機が発呼側であると決定し、当該相手の携帯電話機からの着呼を待ち受けている間は、ＬＣＤ１０に対して「相手からの着信を待ち受け中です。」と表示する。これにより携帯電話機１のＣＰＵ２は、ユーザに無駄な発呼操作をさせずに済み、かつ当該ユーザに対して相手からの着信を待っていれば良いことを認識させることができる。
【００３２】
ステップＳＰ７において携帯電話機１のＣＰＵ２は、相手の携帯電話機からの着呼を受け、もしくは相手の携帯電話機に対して発呼を行ったことによる再接続を図り、次のステップＳＰ８へ移る。
【００３３】
なお発呼側である相手の携帯電話機は、発呼を行ったときにやはり電波状況が改善されておらず接続不能状態であった場合には再接続処理を繰り返すリトライ回数を予め設定しておき、そのリトライ回数の中でだけ再接続処理を実行するようになされている。
【００３４】
ステップＳＰ８において携帯電話機１のＣＰＵ２は、相手の携帯電話機との間で再接続ができたので通話処理を再開し、次のステップＳＰ９へ移る。
【００３５】
ステップＳＰ９において携帯電話機１のＣＰＵ２は、ユーザによる「切」ボタンの押下操作に従って通信状態を切断し、次のステップＳＰ１８へ移って双方通知モードにおける再接続制御処理を終了する。
【００３６】
この場合、携帯電話機１のＣＰＵ２は、ユーザによる「切」ボタンの押下操作があったことを認識したときには通信状態を切断するが、ステップＳＰ４の場合はユーザによる「切」ボタンの押下操作がない状態での切断であるために電波状況悪化による強制切断が起こったと判断することができるのであり、「切」ボタンの押下操作による切断の場合は再接続制御を行うことはない。
【００３７】
これに対してステップＳＰ５において携帯電話機１のＣＰＵ２は、自身から相手の携帯電話機に対して電話番号通知を行っているものの、当該相手の携帯電話機からは電話番号通知を受けていない場合には片方通知モードであると判断し、次のステップＳＰ１０へ移る。
【００３８】
ステップＳＰ１０において携帯電話機１のＣＰＵ２は、図６に示すように、相手の携帯電話機から電話番号通知を受けていないため当該相手の携帯電話機の電話番号を認識することができず、当該相手の携帯電話機だけが携帯電話機１の電話番号を認識している状態であるので相手の携帯電話機が発呼側であると判断し、自身は発呼を禁止して次のステップＳＰ１１へ移る。
【００３９】
なお、携帯電話機１が相手の携帯電話機に電話番号通知を行わず、相手の携帯電話機からのみ電話番号通知を受けることも想定され、この場合は当該携帯電話機１が発呼側であると判断し、相手の携帯電話機が携帯電話機１への発呼を禁止することになる。
【００４０】
ステップＳＰ１１において携帯電話機１のＣＰＵ２は、相手の携帯電話機からの着呼を受けたことに応じて再接続を図り、次のステップＳＰ１２へ移る。
【００４１】
ステップＳＰ１２において携帯電話機１のＣＰＵ２は、相手の携帯電話機との間で再接続ができたので通話処理を再開し、次のステップＳＰ１３へ移る。
【００４２】
ステップＳＰ１３において携帯電話機１のＣＰＵ２は、ユーザによる「切」ボタンの押下操作に従って通信状態を切断し、次のステップＳＰ１８へ移って片方通知モードにおける再接続制御処理を終了する。
【００４３】
一方、ステップＳＰ５で携帯電話機１のＣＰＵ２は、相手の携帯電話機に対して電話番号通知を行っておらず、かつ当該相手の携帯電話機からも電話番号通知を受けていない場合には双方非通知モードであると判断し、次のステップＳＰ１４へ移る。
【００４４】
この場合、双方非通知モードであるために携帯電話機１及び相手の携帯電話機が相互に相手の電話番号を認識することができず、いずれかを発呼側として決定することができない。
【００４５】
そこで双方非通知モードの場合、お互いのユーザが通話相手の電話番号を認識しているのであればその電話番号に対して改めてお互いに発呼すれば良いのだが、その際の発呼タイミングを互いにずらした所定の待ち時間経過後に設定することにより、相手の携帯電話機が行う相手発呼タイミングと携帯電話機１が行う自己発呼タイミングとを重ならないように制御し、確実に通話を再開できるようにしたものである。
【００４６】
具体的には、例えば図７に示すように相手の携帯電話機は強制切断が起こったことを認識した後、「１０秒後」に発呼を許可し、携帯電話機１のＣＰＵ２は強制切断が起こったことを認識した後、「３０秒後」に発呼を許可するようにすれば、当該相手の携帯電話機が発呼してから「２０秒間」だけは相手発呼タイミングと自己発呼タイミングとが重ならないので確実に再接続することができる。
【００４７】
このような自己発呼タイミングと相手発呼タイミングとを決定するための時間設定については再接続制御プログラムに従ってランダムに決定するようになされており、時間設定については「１０秒後」や「３０秒後」に限定するものではない。
【００４８】
なお携帯電話機１のＣＰＵ２は、ステップＳＰ３で否定結果を得られたとき、すなわち相手の携帯電話機に再接続制御機能が備わっていないと判断したときも、相手の携帯電話機が自身を発呼側と判断することができないのでステップＳＰ１４の処理を行う。
【００４９】
ステップＳＰ１４において携帯電話機１のＣＰＵ２は、双方非通知モードであるので強制切断が起こったことを認識した後、「３０秒後」に発呼を許可するべく３０秒間だけ発呼を禁止するよう制御することにより、相手発呼タイミングと自己発呼タイミングとが重なることを回避し、次のステップＳＰ１５へ移る。
【００５０】
ステップＳＰ１５において携帯電話機１のＣＰＵ２は、強制切断が起こってから１０秒経過後に相手の携帯電話機からの着呼を受けたことに応じて再接続を図り、次のステップＳＰ１６へ移る。
【００５１】
ステップＳＰ１６において携帯電話機１のＣＰＵ２は、相手の携帯電話機との間で再接続ができたので通話処理を再開し、次のステップＳＰ１７へ移る。
【００５２】
ステップＳＰ１７において携帯電話機１のＣＰＵ２は、ユーザによる「切」ボタンの押下操作に従って通信状態を切断し、次のステップＳＰ１８へ移って双方非通知モードにおける再接続制御処理を終了する。
【００５３】
（３）動作及び効果
以上の構成において、携帯電話機１のＣＰＵ２は相手の携帯電話機との間で通話中に電波状況悪化による強制切断が起こった場合、双方がほぼ同じタイミングで発呼することによる接続不能状態に陥ることを防止するべく、相手の携帯電話機からの相手発呼タイミングと、相手の携帯電話機への自己発呼タイミングとが重ならないように制御して再接続を行う。
【００５４】
携帯電話機１のＣＰＵ２は、電話番号を双方が通知する双方通知モードであると判断した場合、自身の電話番号と相手の携帯電話機の電話番号とを比較し、ケタの数字が大きいほうを発呼側と決定し、当該決定した発呼側からのみ通信接続を図ることにより、相手発呼タイミングと自己発呼タイミングとの重なりを防止して確実に再接続することができる。
【００５５】
また携帯電話機１のＣＰＵ２は、片側通知モードの場合、電話番号通知を受けた相手側を発呼側として決定し、当該決定した発呼側からのみ通信接続を図ることにより、相手の携帯電話機からの着呼を待ち受けるだけで確実に再接続することができる。但し、この場合には常に相手の携帯電話機が発呼側として固定される形態である。
【００５６】
さらに携帯電話機１のＣＰＵ２は、相手の携帯電話機に再接続制御機能がない場合や、双方非通知モードの場合でも、お互いに発呼許可するまでの時間をランダムに設定することにより、相手発呼タイミングと自己発呼タイミングとの重なりを防止して確実に再接続することができる。
【００５７】
以上の構成によれば、携帯電話機１のＣＰＵ２は自己発呼タイミングと相手発呼タイミングとが重ならないように制御することにより、短時間でかつユーザに何度も発呼させることなく確実に相手の携帯電話機と再接続することができる。
【００５８】
（４）他の実施の形態
なお上述の実施の形態においては、通信相手の携帯電話機に再接続制御機能があるときに双方通知モード又は片方通知モードによる再接続制御処理を実行するようにした場合について述べたが、本発明はこれに限らず、通信相手に再接続制御機能がないときであっても双方通知モード又は片方通知モードによる再接続制御処理を実行するようにしても良い。
【００５９】
この場合、自己発呼タイミングと相手発呼タイミングとが重なる可能性も多少は残るが、携帯電話機１が再接続制御機能を用いることによりその自己発呼タイミングと相手発呼タイミングとが重なる確率を低減することができるので、従来のように何ら再接続制御を行わないよりも短時間で再接続することができる。
【００６０】
また上述の形態においては、再接続制御機能を有することを示す通知信号としてＤＴＭＦ(Dual
Tone Multi Frequency)信号を用いるようにした場合について述べたが、本発明はこれに限らず、そのための専用の信号を生成して用いたり、或いはその他種々の信号を通知信号として用いるようにしても良い。
【００６１】
さらに上述の実施の形態においては、双方通知モードにおける発呼側変更アルゴリズムで電話番号に日付を加算するようにした場合について述べたが、本発明はこれに限らず、携帯電話機１及び相手の携帯電話機が双方共通に保持するデータであれば例えば時刻やその他の種々のデータを加算するようにしても良い。この場合でも、下１ケタ又は下２ケタの数字を変動することができるので、発呼側をそのときどきで変更すること可能となる。
【００６２】
さらに上述の実施の形態においては、ＣＰＵ２がＲＯＭ３に予め格納された再接続制御プログラムをＲＡＭ４上に展開し、当該再接続制御プログラムに従って上述の再接続制御処理手順を実行するようにした場合について述べたが、本発明はこれに限らず、再接続制御プログラムが格納されたプログラム格納媒体を携帯電話機１にインストールすることにより再接続制御処理手順を実行するようにしても良い。
【００６３】
このように上述した再接続制御処理手順を実行するための再接続制御プログラムを携帯電話機１にインストールして実行可能な状態にするためのプログラム格納媒体としては、例えばフレキシブルディスク、ＣＤ−ＲＯＭ（Compact Disc-Read Only Memory ）、ＤＶＤ（Digital Versatile Disc）等のパッケージメディアのみならず、再接続制御プログラムが一時的もしくは永続的に格納される半導体メモリや磁気ディスク等で実現しても良い。またこれらプログラム格納媒体に再接続制御プログラムを格納する手段として、ローカルエリアネットワークやインターネット、ディジタル衛星放送等の有線及び無線通信媒体を利用してもよく、ルータやモデム等の各種通信インターフェースを介して格納するようにしても良い。
【００６４】
さらに上述の実施の形態においては、相手の携帯電話機が再接続制御機能を有する片側通知モードで当該相手の携帯電話機が携帯電話機１から電話番号通知を受けたことに応じて当該相手の携帯電話機が発呼側であると決定するようにした場合について述べたが、本発明はこれに限らず、携帯電話機１から再接続制御機能を有していることを示す通知信号を相手の携帯電話機へ送信し、かつ相手の携帯電話機から再接続制御機能を有していることを示す通知信号を受けないときで双方通知モードのときに、携帯電話機１の電話番号と相手の携帯電話機の電話番号と比較した場合における下１ケタの数字の大小に係わらず当該携帯電話機１自身を発呼側であると決定するようにしても良い。
【００６５】
この場合、携帯電話機１のＣＰＵ２は相手からの着呼を待ち受けるのではなく必ず発呼することができるので、双方共に着呼を待ち続けるだけのデッドロック状態になることを未然に回避することができる。
【００６６】
さらに上述の実施の形態においては、本発明を携帯電話機に適用するようにした場合について述べたが、本発明はこれに限らず、電話機能を有するパーソナルコンピュータ、ＰＤＡ（Personal Digital Assistant）等の他の種々の電子機器に本発明を適用するようにしても良い。
【００６７】
さらに上述の実施の形態においては、本発明の再接続制御機能付携帯電話機を、通信接続手段としてのＣＰＵ２及び送受信回路６、検出手段としてのＣＰＵ２、制御手段としてのＣＰＵ２によって構成するようにした場合について述べたが、本発明はこれに限らず、その他種々の回路構成で再接続制御機能付携帯電話機を形成するようにしても良い。
【産業上の利用可能性】
【００６８】
本発明の再接続制御機能付携帯電話機は、例えば２台の携帯電話機での通話中に電波状況悪化による強制切断が起こったときに再接続を短時間でかつ確実に図る用途に適用することができる。
【図面の簡単な説明】
【００６９】
【図１】本発明の携帯電話機の回路構成を示す略線的ブロック図である。
【図２】再接続制御処理手順を示すフローチャートである。
【図３】双方通知モードの再接続処理（１）の説明に供する略線図である。
【図４】双方通知モードの再接続処理（２）の説明に供する略線図である。
【図５】発呼側変更アルゴリズムの説明に供する略線図である。
【図６】片方通知モードの再接続処理の説明に供する略線図である。
【図７】双方非通知モードの再接続処理の説明に供する略線図である。
【符号の説明】
【００７０】
１……携帯電話機、２……ＣＰＵ、３……ＲＯＭ、４……ＲＡＭ、６……送受信回路、７……信号処理回路、１０……ＬＣＤ、１１……操作部。
【図１】
2005039628.tif 000003
【図２】
2005039628.tif 000004
【図３】
2005039628.tif 000005
【図４】
2005039628.tif 000006
【図５】
2005039628.tif 000007
【図６】
2005039628.tif 000008
【図７】
2005039628.tif 000009